(57)【特許請求の範囲】
【請求項１】
車両の計器取付部に取付けられる計器ケースと、
計器ケースに内蔵される計器駆動部と、
計器駆動部の前面に配設される文字板と、
文字板の前面に配設されて計器駆動部により駆動される指針とを有してなる車両用計器において、
車両の計器取付部に取付けられる計器ケースの前縁部よりも前側に文字板を配設し、該文字板の外径を計器ケースの内径よりも大きく形成し、
指針を光輝させるための導光板を文字板の後面にて、計器ケースの前縁つば部まで延在せしめ、その導光板の外縁部を半球面状とし、その半球面状外縁部の外側に反射層を形成してなることを特徴とする車両用計器。
【請求項２】
前記文字板が陥凹状表示面を備えてなる請求項１記載の車両用計器。
【発明の詳細な説明】
【０００１】
【産業上の利用分野】
本発明は、自動車の速度計、回転計等に用いられて好適な車両用計器に関する。
【０００２】
【従来の技術】
従来の車両用計器は、図４に示す如く、車両の計器取付部１に取付けられる計器ケース２と、計器ケース２に内蔵される計器駆動部３と、計器駆動部３の前面に配設される文字板４と、文字板４の前面に配設されて計器駆動部３により駆動される指針５とを有している。
【０００３】
尚、６は、計器ケース２に内蔵した光源７の照射光を文字板４、指針５に導き、文字板４の透過照明、指針５の光輝を図る導光板である。また、８は、文字板４の周辺の不要部分が運転者に見えないようにすること、照明光の外部もれを防ぐことのための見返し板である。また、９はスペーサ９Ａを介して見返し板８の前面に設けられたフロントカバーであり、９Ｂはフロントカバー９を計器ケース２の前縁つば部に把持するベゼルリングである。
【０００４】
然るに、従来技術（実開平５−２３０４６  号公報参照）では、計器ケース２の前縁つば部（基準位置Ｙ０  ）よりもＹ（−）だけ内側（後側）に文字板４を配設し、文字板４の外径Ｒ１  を計器ケース２の内径Ｒ２  より小さく（Ｒ１  ＜Ｒ２  ）形成している。
【０００５】
【発明が解決しようとする課題】
然しながら、従来技術には、下記▲１▼〜▲３▼の問題点がある。
▲１▼文字板４が計器ケース２の前縁つば部よりも後方に配設されているので、文字板４が運転者の眼から遠方に位置するものとなる。
【０００６】
▲２▼文字板４の外径が計器ケース２の内径より小さいので、文字板４の表示面積が小さく、文字板４に設けられる文字、目盛が小さくなる。
【０００７】
▲３▼上記▲１▼、▲２▼により、運転者による文字板４の文字、目盛の読取り性が悪く、計器の視認性が悪い。
【０００８】
尚、文字板４の外径を大きくするために、計器ケース２の外径を大きくすることは、車両の計器取付部１における取付孔サイズ、他部品との干渉回避等の観点から一定の制限がある。
【０００９】
本発明は、計器ケースを大型化することなく、運転者による文字板の読取り性を向上することを目的とする。
【００１０】
【課題を解決するための手段】
請求項１に記載の本発明は、計器ケースに内蔵される計器駆動部と、計器駆動部の前面に配設される文字板と、文字板の前面に配設されて計器駆動部により駆動される指針とを有してなる車両用計器において、車両の計器取付部に取付けられる計器ケースの前縁部よりも前側に文字板を配設し、該文字板の外径を計器ケースの内径よりも大きく形成し、指針を光輝させるための導光板を文字板の後面にて、計器ケースの前縁つば部まで延在せしめ、その導光板の外縁部を半球面状とし、その半球面状外縁部の外側に反射層を形成してなるようにしたものである。
【００１１】
請求項２に記載の本発明は、請求項１に記載の本発明において更に、前記文字板が陥凹状表示面を備えてなるものである。
【００１３】
請求項１に記載の本発明によれば下記(a)〜(e)の作用がある。
(a)文字板が計器ケースの前縁部よりも前側に配設されているから、文字板が運転者の眼に近くなり、文字板の読取り性を向上できる。
【００１４】
(b)文字板の外径が計器ケースの内径より大きく形成されたから、文字板の表示面積を大きくとれ、文字板に設けられる文字、目盛を大きく分かり易く形成でき、文字板の読取り性を向上できる。
【００１５】
(c)計器ケースの外径を大きくすることなく、文字板の外径を大きくするものであり、車両の計器取付部の取付孔サイズに容易に適合し、また他部品との干渉を生ずることがないから、計器取付性も良い。
【００１６】
(d)計器ケース内の照明光は、計器ケースより大径の文字板によりその外部もれを防止されるから、見返し板の如くが不要となり、部品点数を削減しコスト低減できるものとなる。
(e)文字板の後面の導光板を計器ケースの前縁つば部まで延在せしめたので、導光板による文字板の有効照明範囲が拡がり、文字板の有効表示面積をより大きく、文字板の読取り性をより向上できる。また、文字板と計器ケースの前縁つば部との間の、文字板受をなくすことができ、部品点数を削減しコスト低減できる。
【００１７】
請求項２に記載の本発明によれば下記(f)の作用がある。
(f)文字板の表示面を円錐面状、段差状の如くの陥凹状とすることにより、文字板の前面に設けられる指針中心部を計器ケースの内側寄りに位置付け、結果として計器ケースの前縁部から車室側へのフロントカバーの突出を小さくし、車室居住性、計器外観性を向上できる。
【００１８】
また、文字板の表示面をより立体的にし、計器意匠性を向上できる。
【００２１】
図１は第１実施例を示す模式図、図２は第２実施例を示す模式図、図３は本発明に適用される導光板の一例を示す模式図、図４は従来例を示す模式図、図５は文字板の一例を示す模式図である。
【００２２】
（第１実施例）（図１）
計器１０は、車両の計器取付部１１に取付けられる計器ケース１２と、計器ケース１２に内蔵される計器駆動部１３と、計器駆動部１３の前面に配設される文字板１４（図５）と、文字板１４の前面に配設されて計器駆動部１３により駆動される透明樹脂等からなる指針１５とを有している。文字板１４は、図５に示す如くに文字、目盛を付した表示面１４Ａを備えている。１６は指針軸である。
【００２３】
計器１０は、文字板１４の後面に導光板１７を設けてある。導光板１７は、計器ケース１２に内蔵した光源１８の照射光を文字板１４（光路Ａ）、指針１５（光路Ｂ）に導き、文字板１４の透過照明、指針１５の光輝を図っている。
【００２４】
然るに、計器１０にあっては、計器取付部１１に取付けられる計器ケース１２の前縁つば部１２Ａ（基準位置Ｙ０  ）よりもＹ（＋）だけ前側に文字板１４を配設し、文字板１４の外径Ｒ１  を計器ケース１２の内径Ｒ２  より大きく（Ｒ１  ＞Ｒ２  ）形成している。
【００２５】
尚、１９はスペーサ１９Ａを介して計器ケース１２の前面開口部に被着されるフロントカバーである。１９Ｂは、フロントカバー１９、スペーサ１９Ａ、文字板１４、文字板受１４Ｂを共に計器ケース１２の前縁つば部１２Ａに把持するベゼルリングである。
【００２６】
以下、第１実施例の作用について説明する。
(a)文字板１４が計器ケース１２の前縁つば部１２Ａよりも前側に配設されているから、文字板１４が運転者の眼に近くなり、文字板１４の読取り性を向上できる。
【００２７】
(b)文字板１４の外径Ｒ1が計器ケース１２の内径Ｒ2より大きく形成されたから、文字板１４の表示面積を大きくとれ、文字板１４に設けられる文字、目盛を大きく分かり易く形成でき、文字板１４の読取り性を向上できる。
【００２８】
(c)計器ケース１２の外径Ｒ1を大きくすることなく、文字板１４の外径Ｒ1を大きくするものであり、車両の計器取付部１１の取付孔サイズに容易に適合し、また他部品との干渉を生ずることがないから、計器取付性も良い。
【００２９】
(d)計器ケース１２内の照明光は、計器ケース１２より大径の文字板１４によりその外部もれを防止されるから、見返し板の如くが不要となり、部品点数を削減しコスト低減できるものとなる。
【００３０】
（第２実施例）（図２）
第２実施例の計器２０が第１実施例の計器１０と実質的に異なる点は、前記文字板１４に代わる文字板２１が指針中心部を計器ケース１２の内側寄りにくぼませた円錐面状、もしくは段差状の如くの陥凹状表示面２１Ａを備えたことのみにある。このとき、前記導光板１７に代わる導光板２２は、文字板２１の背面に接する部分を陥凹状としている。尚、図２において、２３は押えリングである。
【００３１】
第２実施例によれば、第１実施例における前述(a)〜(d)の作用に加え、以下の如くの作用がある。
文字板２１の表示面２１Ａを円錐面状、段差状の如くの陥凹状とすることにより、文字板２１の前面に設けられる指針中心部を計器ケース１２の内側寄りに位置付け、結果として計器ケース１２の前縁部から車室側へのフロントカバーの突出を小さくし（図２のＬ2＜図１のＬ1）、車室居住性、計器外観性を向上できる。
【００３２】
また、文字板２１の表示面をより立体的にし、計器意匠性を向上できる。
【００３３】
第１実施例の計器１０と第２実施例の計器２０にあっては、それらの導光板１７、２２として、図３に示す如くの導光板３１を用いることができる。即ち、図３の計器３０にあっては、計器１０、２０の導光板１７、２２に代わる導光板３１を文字板１４の後面にて、計器ケース１２の前縁つば部１２Ａまで延在せしめ、その導光板３１の外縁部を半球面状とし、その半球面状外縁部の外面に例えば白色塗膜からなる反射層３２を形成したことにある。反射層３２は、塗膜以外の部材にて構成されても良い。
【００３４】
導光板３１を用いた計器３０によれば、計器１０における前述(a)〜(d)の作用に加え、以下の如くの作用がある。
【００３５】
文字板１４の後面の導光板３１を計器ケース１２の前縁つば部１２Ａまで延在せしめたので、導光板１２による文字板１４の有効照明範囲が拡がり、文字板１４の有効表示面積をより大きく、文字板１４の読取り性をより向上できる。
【００３６】
また、文字板１４と計器ケース１２の前縁つば部１２Ａとの間の、文字板受をなくすことができ、部品点数を削減しコスト低減できる。
【００３７】
以上、本発明の実施例を図面により詳述したが、本発明の具体的な構成はこの実施例に限られるものではなく、本発明の要旨を逸脱しない範囲の設計の変更等があっても本発明に含まれる。
【００３８】
【発明の効果】
以上のように本発明によれば、計器ケースを大型化することなく、運転者による文字板の読取り性を向上することができる。
【図面の簡単な説明】
【図１】図１は第１実施例を示す模式図である。
【図２】図２は第２実施例を示す模式図である。
【図３】図３は本発明に適用される導光板の一例を示す模式図である。
【図４】図４は従来例を示す模式図である。
【図５】図５は文字板の一例を示す模式図である。
【符号の説明】
１０  計器
１１  計器取付部
１２  計器ケース
１３  計器駆動部
１４、２１  文字板
１４Ａ、２１Ａ  表示面
１５  指針
３１  導光板
３２  反射層
【図１】
0003599202.tif 000002
【図２】
0003599202.tif 000003
【図３】
0003599202.tif 000004
【図４】
0003599202.tif 000005
【図５】
0003599202.tif 000006